(57)【要約】【課題】製造コストやランニングコストを低減でき、かつ操作性のよい健康支援装置を提供する。【解決手段】被検者の指先を挿入可能で、かつ指先の腹部に向けてＬＥＤと脈波センサとが配置された指挿入部３と、指挿入部３を、指先の腹部を脈波センサに向けて押し付けるときの押し付け方向に向かって回動自在に支持する筐体２とを備え、筐体２に、指挿入部３を挿入可能な開口部７を形成すると共に、指挿入部３の底部８ｃに当接可能なリミットスイッチ２５を設け、リミットスイッチ２５が指挿入部３の底部８ｃによって所定時間押圧されると、ＬＥＤ、および脈波センサが駆動するように構成されている。【選択図】図４
2011067238.tif 000002
【特許請求の範囲】
【請求項１】
被検者の指先を挿入可能で、かつ指先の腹部に向けて発光素子と受光素子とが配置された指挿入部と、
前記指挿入部を、前記指先の腹部を前記受光素子に向けて押し付けるときの押し付け方向に向かって回動自在に支持する筐体とを備え、
前記筐体に、前記指挿入部を挿入可能な開口部を形成すると共に、前記指挿入部の底部に当接可能な接触式センサを設け、
前記接触式センサが前記指挿入部の底部によって所定時間押圧されると、前記発光素子、および受光素子が駆動するように構成されていることを特徴とする健康支援装置。
【請求項２】
前記指挿入部に、前記指先の腹部を前記受光素子に向けて押し付けるときの押し付け方向と指先の挿入方向とのそれぞれに直交する方向に沿って回動軸を設け、
前記筐体に、前記開口部の周縁を閉蓋し、かつ前記指挿入部に対応する位置を避けるように形成された蓋部を着脱自在に設け、
前記筐体と前記蓋部とにより、前記回動軸を回動自在に支持する軸受け部を形成したことを特徴とする請求項１に記載の健康支援装置。
【請求項３】
前記指挿入部の手前に、前記回動軸を設けたことを特徴とする請求項２に記載の健康支援装置。
【請求項４】
前記筐体に、この筐体を被覆可能に形成され、前記筐体の開口部に対応する部位が開封口として設定された柔軟性を有するカバーを着脱自在に設け、
前記蓋部に外フランジ部を設け、この外フランジ部を前記カバーの開封口の抜けを防止するための抜け防止部として機能させることを特徴とする請求項１〜請求項３の何れかに記載の健康支援装置。
【請求項５】
前記筐体内に、この筐体の加速度を検出する加速度センサを設けたことを特徴とする請求項１〜請求項４の何れかに記載の健康支援装置。
【請求項６】
前記筐体には、この筐体の中心に対して前記指挿入部の挿入口とは反対側に対応する位置に、前記発光素子、前記受光素子、および前記加速度センサの少なくとも何れかをオン・オフ制御するための操作部が設けられていることを特徴とする請求項５に記載の健康支援装置。
【請求項７】
前記操作部に、前記受光素子、および前記加速度センサの少なくとも何れかの検出結果を表示可能な表示部を設けたことを特徴とする請求項６に記載の健康支援装置。
【発明の詳細な説明】
【技術分野】
【０００１】
この発明は、健康支援装置に関するものである。
【背景技術】
【０００２】
従来から、発光素子、および受光素子を備え、被検者の脈派情報に基づいて脈拍数、心拍数等、様々な生体情報を得ることができる脈波計測装置が知られている。この種の脈波検出装置は、発光素子から指先に向けて光を照射し、指先を透過した光、または反射した光を受光素子で受光する。そして、受光素子で受光した光をデータ処理することで、脈波の情報が得られるようになっている。
【０００３】
ここで、脈波から被検者のストレス状態を判定する場合などにあっては、脈波の振幅を適正に測定する必要がある。この場合、被検者の指先に略一定の荷重をかけて脈波測定を行う必要がある。このため、指先に略一定の荷重を確実にかけた状態で脈波測定を行うためのさまざまな技術が提案されている。
【０００４】
例えば、本体部に被検者の指先を挿入可能な指挿入部を回動自在に設けると共に、指挿入部の底部に当接可能な圧力センサを設けた技術が開示されている（例えば、特許文献１参照）。
この構成によれば、本体部を軽く握りながら、指挿入部に指先を挿入し、この指先を発光素子、および受光素子に向けて押し付けると、指挿入部が圧力センサ側に向かって回動する。そして、指挿入部が圧力センサを押圧するので、指を押し付ける力が計測される。指先にかかる荷重を検出することで、略一定の荷重がかかった状態で測定を行うことができる。
【先行技術文献】
【特許文献】
【０００５】
【特許文献１】特開２００９−６６０４２号公報
【発明の概要】
【発明が解決しようとする課題】
【０００６】
しかしながら、上述の従来技術にあっては、圧力センサを用いる分、部品コストが増大すると共に、複雑な制御が必要になり、製造コストが増大するという課題がある。
また、常に圧力センサや各素子に電力を供給する必要があり、ランニングコストが増大するという課題がある。例えば、別途起動スイッチを設け、測定時のみ各部品に電力を供給するように構成することも考えられるが、被検者の操作が煩わしいものになる。
【０００７】
そこで、この発明は、上述した事情に鑑みてなされたものであって、製造コストやランニングコストを低減でき、かつ操作性のよい健康支援装置を提供するものである。
【課題を解決するための手段】
【０００８】
上記の課題を解決するために、請求項１に記載した発明は、被検者の指先を挿入可能で、かつ指先の腹部に向けて発光素子と受光素子とが配置された指挿入部と、前記指挿入部を、前記指先の腹部を前記受光素子に向けて押し付けるときの押し付け方向に向かって回動自在に支持する筐体とを備え、前記筐体に、前記指挿入部を挿入可能な開口部を形成すると共に、前記指挿入部の底部に当接可能な接触式センサを設け、前記接触式センサが前記指挿入部の底部によって所定時間押圧されると、前記発光素子、および受光素子が駆動するように構成されていることを特徴とする。
【０００９】
このように、従来の圧力センサに代わって接触式センサを用いることにより、部品コストが削減できると共に、制御を簡素化できる。このため、製造コストを低減できる。
また、被検者の指先を発光素子、および受光素子に向けて押し付け、接触式センサを押下したときのみ発光素子、および受光素子を駆動させることができる。このため、各素子による消費電力を減少させることができ、ランニングコストを低減できる。
さらに、接触式センサを押下するまで指先の腹部を押し付ける必要があるので、指先に略一定の荷重をかけた状態で脈波等の検出を行うことができる。このため、健康支援装置による測定結果の信頼性を高めることができる。
【００１０】
請求項２に記載した発明は、前記指挿入部に、前記指先の腹部を前記受光素子に向けて押し付けるときの押し付け方向と指先の挿入方向とのそれぞれに直交する方向に沿って回動軸を設け、前記筐体に、前記開口部の周縁を閉蓋し、かつ前記指挿入部に対応する位置を避けるように形成された蓋部を着脱自在に設け、前記筐体と前記蓋部とにより、前記回動軸を回動自在に支持する軸受け部を形成したことを特徴とする。
このように構成することで、筐体の開口部周縁に形成された軸受け部に回動軸を載置するように指挿入部をセットした後、この上から蓋部を取り付けるだけで指挿入部の組み付けを完了することができる。このため、組み立て工数を削減でき、この分製造コストを削減できる。
【００１１】
請求項３に記載した発明は、前記指挿入部の手前に、前記回動軸を設けたことを特徴とする。
このように構成することで、指挿入部の入り口を中心にして指挿入部を回動させることができるので、被検者の指に無理な荷重がかからず、自然体で指先を押さえ付けることが可能になる。このため、使い勝手のよい健康支援装置を提供することができる。
【００１２】
請求項４に記載した発明は、前記筐体に、この筐体を被覆可能に形成され、前記筐体の開口部に対応する部位が開封口として設定された柔軟性を有するカバーを着脱自在に設け、前記蓋部に外フランジ部を設け、この外フランジ部を前記カバーの開封口の抜けを防止するための抜け防止部として機能させることを特徴とする。
このように構成することで、カバーを容易に着脱させることができると共に、カバーの抜けを確実に防止できる。また、抜け防止部として機能する外フランジ部がカバーの開封口縁を覆うことにより、健康支援装置の美観性を向上させることができる。
さらに、例えば、色彩の異なる複数のカバーを容易に着せ替えすることできるので、被検者の好みに応じた健康支援装置を提供できる。
【００１３】
請求項５に記載した発明は、前記筐体内に、この筐体の加速度を検出する加速度センサを設けたことを特徴とする。
このように構成することで、例えば、被検者の脈波に基づいて被検者のリラックス度を測定したり、筐体の動きや姿勢に基づいて歩行中の被検者の歩数を測定したりすることができる。すなわち、同一の装置内における多機能化を図ることが可能になり、繰り返し使用した場合であっても被検者の興味を維持することができる。
【００１４】
請求項６に記載した発明は、前記筐体には、この筐体の中心に対して前記指挿入部の挿入口とは反対側に対応する位置に、前記発光素子、前記受光素子、および前記加速度センサの少なくとも何れかをオン・オフ制御するための操作部が設けられていることを特徴とする。
このように構成することで、被検者が指挿入部に一方の手の指先を挿入した状態で健康支援装置を手前にむけると、操作部が健康支援装置の前面に位置した状態になる。このため、被検者が他方の手を用いて操作部を容易に操作することができ、さらに使い勝手のよい健康支援装置を提供することができる。
【００１５】
請求項７に記載した発明は、前記操作部に、前記受光素子、および前記加速度センサの少なくとも何れかの検出結果を表示可能な表示部を設けたことを特徴とする。
このように構成することで、被検者が測定中であっても、この被検者自身が容易に測定結果を確認することができる。このように随時測定結果を確認できることにより、被検者の健康意識を高めることができ、かつさらに使い勝手のよい健康支援装置を提供することができる。
【発明の効果】
【００１６】
本発明によれば、従来の圧力センサに代わって接触式センサを用いることにより、部品コストが削減できると共に、制御を簡素化できる。このため、製造コストを低減できる。
また、被検者の指先を発光素子、および受光素子に向けて押し付け、接触式センサを押下したときのみ発光素子、および受光素子を駆動させることができる。このため、各素子による消費電力を減少させることができ、ランニングコストを低減できる。
さらに、接触式センサを押下するまで指先の腹部を押し付ける必要があるので、指先に略一定の荷重をかけた状態で脈波等の検出を行うことができる。このため、健康支援装置による測定結果の信頼性を高めることができる。
【図面の簡単な説明】
【００１７】
【図１】本発明の実施形態における被検者が健康支援装置を使用する状態を示す説明図である。
【図２】本発明の実施形態における健康支援装置を一方からみた斜視図である。
【図３】本発明の実施形態における健康支援装置を他方からみた斜視図である。
【図４】本発明の実施形態における第一ケースの斜視図である。
【図５】本発明の実施形態における指挿入部の斜視図である。
【図６】本発明の実施形態における軸受け部の詳細を示す概略構成図である。
【図７】本発明の実施形態における表示部の起動画面の説明図である。
【図８】本発明の実施形態における表示部の表示状態を示し、（ａ）〜（ｃ）は、ウォーキングモードの説明図である。
【図９】本発明の実施形態における表示部の表示状態を示し、（ａ）〜（ｄ）は、脈拍計モードの説明図である。
【図１０】本発明の実施形態における表示部の体操モードの表示状態を示す説明図である。
【図１１】本発明の実施形態における表示部の表示状態を示し、（ａ）〜（ｅ）は、リラクシングモードの説明図である。
【図１２】本発明の実施形態における表示部の他の画面の説明図である。
【発明を実施するための形態】
【００１８】
（健康支援装置）
次に、この発明の実施形態を図面に基づいて説明する。
図１は、被検者Ｍが健康支援装置１を使用する状態を示す説明図、図２は、健康支援装置１を一方からみた斜視図、図３は、健康支援装置１を他方からみた斜視図である。
図１〜図３に示すように、健康支援装置１は、被検者Ｍの把持部となる筐体２と、筐体２に回動自在に取り付けられた指挿入部３とを有し、筐体２の表面がカバーである巾着袋４で被覆されている。
【００１９】
筐体２は、被検者Ｍが軽く握れるような略球状に形成されたものであって、球体の半分よりもやや大きめに形成された第一ケース５と、この第一ケース５よりも小さい第二ケース６とで分割構成されており、これら２つのケース５，６をボルト（不図示）によって締結固定するようになっている。
第一ケース５には、被検者Ｍが筐体２を軽く握ったときの特定の指先（例えば、人差し指）の位置に対応するように開口部７が形成されており、ここに指挿入部３のほぼ全体が入り込まされている。
【００２０】
図４は、第一ケース５の斜視図、図５は、指挿入部３の斜視図である。
図３〜図５に示すように、指挿入部３は、被検者Ｍの人差し指などの特定の指先の脈波を測定するためのものであって、指先（例えば、人差し指の第二関節程度まで）を挿入可能な有底筒状の本体部８を有している。この本体部８は、開口側（手前側）である挿入口８ａが第一ケース５内から開口部７を介して外側に突出した状態になっている。
【００２１】
本体部８は、例えば、樹脂等により形成されたものであって、内面に外乱光が本体部８を通して入り込まないようにアルミテープ等の非透過材（不図示）が貼り付けられている。挿入口８ａの外周側には、左右方向両側にシャフト１７が水平方向に沿って１つずつ一体的に突設されている。シャフト１７は、指挿入部３の回動軸としての役割を有している。
ここで、第一ケース５の開口部７には、この開口部７の周縁を閉蓋する蓋部１８が設けられており、この蓋部１８と第一ケース５の開口部７周縁とで指挿入部３のシャフト１７を回動自在に支持するための軸受け部２０が形成されている。
【００２２】
図６は、軸受け部２０の詳細を示す概略構成図である。
図３、図５、図６に示すように、蓋部１８は、例えば、樹脂等により形成されたものであって、第一ケース５の外表面と面一となるように形成された蓋本体１９を有している。蓋本体１９は、指挿入部３の挿入口８ａとの干渉を避けるように平面視略円環状に形成されたものであって、指挿入部３のシャフト１７に対応する箇所に、断面半円状の凹部１９ａが形成されている。一方、第一ケース５の開口部７の周縁には、指挿入部３のシャフト１７に対応する箇所に断面半円状の凹部５ａが形成されている。
【００２３】
これら凹部５ａ，１９ａを重ね合わせることにより形成される空間は、シャフト１７の断面形状よりも若干大きくなる。すなわち、２つの凹部５ａ，１９ａにより、シャフト１７を回動自在に支持するための軸受け部２０が形成される。そして、指挿入部３は、シャフト１７を中心にして回動自在に設けられた状態になる。
また、蓋本体１９の内周縁、つまり、指挿入部３の挿入口８ａ側には、指挿入部３の本体部８に沿って立ち上がるように周壁２１が一体成形されている。さらに、この周壁２１の先端には、外フランジ部２２が一体成形されている。この外フランジ部２２は、巾着袋４の抜けを防止するための抜け防止部として機能する（詳細は後述する）。
【００２４】
図３〜図５に示すように、指挿入部３の本体部８には、先端部に凹部９が設けられている。この凹部９は、女性などが爪の長い指を挿入したときの逃げ部となっており、爪が本体部８の内面に突き当たってセンシング位置がずれないようにしてある。
また、本体部８は、指先を挿入したときに腹部が接触する面８ｂに、指先の挿入方向に略直交する方向に沿って長く形成された凹部１０を有している。この凹部１０は、被検者Ｍが指先の腹部を押し付ける部位であって、指先の左右方向に沿って３つの窓１１ａ，１１ｂ，１１ｃが形成されている。
【００２５】
中央の窓１１ｂには、指先の腹部が接触する面８ｂとは反対側、つまり、中央の窓１１ｂの下方に、受光素子である脈波センサ１３が配置されている。一方、左右の２つの窓１１ａ，１１ｃの下方には、発光素子であるＬＥＤ（発光ダイオード）１４が配置されている。
これら脈波センサ１３、およびＬＥＤ１４は、本体部８の底部８ｃに設けられているセンサ基板１５に実装されている。ＬＥＤ１４は、基本波長が６５０ｎｍ付近の赤色発光するものが使用されている。赤色の光は、人体に入り易い波長であるため、明確な脈波信号が採取できる。脈波センサ１３は、ＬＥＤ１４で発光され、指先を通った後の光を受光し、方形波パルス信号を発生させるものであって、反射光の明るさに応じて方形波パルス信号の周波数が変化するＬＦＣ（Ｌｉｇｈｔ  ｔｏ  ｆｒｅｑｕｅｎｃｙ  ｃｏｎｖｅｒｔｅｒ）が用いられている。
【００２６】
ここで、窓１１ａ，１１ｂ，１１ｃには、測定光は透過できるが水や異物は通過不能で、かつ指先がＬＥＤ１４や脈波センサ１３に直接触れないようにするシールド部材（不図示）が嵌め込まれている。シールド部材としては、例えば、シリコーン樹脂からなるシートが用いられる。中央の窓１１ｂの大きさは、ＬＥＤ１４の反射光のみを脈波センサ１３に入射させるのに最小限必要な大きさになっている。窓１１ｂが大きすぎると、指と指挿入部の面８ｂとの隙間などから外乱光が入り込んで脈波センサ１３に入射してしまうからである。
【００２７】
また、左右の窓１１ａ，１１ｃは、それぞれ脈波センサ１３から左側のＬＥＤ１４（図３における左側のＬＥＤ１４）に至る間の距離Ｌ１と、脈波センサ１３から右側のＬＥＤ１４（図３における右側のＬＥＤ１４）に至る間の距離Ｌ２とが異なるように形成されている。脈波センサ１３に対して２つのＬＥＤ２１を非対称な配置にすることで、指の形状、太さが被検者によって異なる場合でもいずれかのシールド部材（不図示）に密着又は測定可能に近接させることができる。
【００２８】
また、中央の窓１１ｂよりも指先の挿入方向手前側には、孔１２が形成されている。孔１２には、ＧＮＤピン１６が指先に接触可能に挿入されている。ＧＮＤピン１６は、指が帯電することで生じる静電容量などの影響で脈波センサ１３の信号にノイズが重畳されることを防ぐ。
【００２９】
このような構成のもと、被検者Ｍが中央の窓１１ｂに併せて指先を挿入すれば、この窓１１ｂの手前に配置されたＧＮＤピン１６が指先に自然と接触し、浮遊静電容量の除去を確実に行える。そして、指先に適度な力を加えて押し付けると、指挿入部３がシャフト１７を中心にして本体部８の底部８ｃ側に向かって回動する。つまり、シャフト１７は、指挿入方向（図３における矢印Ｙ１参照）に対して直交する方向に沿って突設されていると共に、指先の腹部の押し付け方向（図４における矢印Ｙ２参照）に対して直交する方向に沿って突設されていることになる。
【００３０】
ここで、本体部８の底部８ｃには、センサ基板１５よりも下側にステー２３が設けられている。ステー２３は、本体部８の左右方向両側を底部８ｃを介して跨るように断面略コの字状に形成されている。ステー２３の左右方向中央には、本体部８の先端側に凹部２３ａが形成されている一方、凹部２３ａとは指の挿入方向反対側に凸部２４が一体成形されている。
また、第一ケース５内には、指挿入部３の下側（図４における下側）に対応する箇所に、センサホルダ２６が一体成形されており、ここに接触式センサであるリミットスイッチ２５が支持されている。リミットスイッチ２５は、このスイッチ釦２５ａを指挿入部３の凸部２４側に向けた状態で配置されている。スイッチ釦２５ａは、リミットスイッチ２５に内装されている不図示のスプリングによって、突出する方向に向かって付勢されている。
【００３１】
すなわち、被検者Ｍが指挿入部３に指先を挿入し、指先に適度な力を加えて押し付けると、リミットスイッチ２５のスイッチ釦２５ａが押下される。そして、リミットスイッチ２５内に、スイッチ釦２５ａが不図示のスプリングの弾性力に抗して没入される。
これに対し、被検者Ｍが指挿入部３に指先を挿入していない状態にあっては、不図示のスプリングの復元力によって、スイッチ釦２５ａが突出する方向に向かって付勢される。このため、リミットスイッチ２５のスイッチ釦２５ａによって、指挿入部３の先端部が起き上がる方向に向かって変位する。
【００３２】
また、第一ケース５には、指挿入部３とは反対側に指挿入部３の左右方向に沿ってバッテリ収納部２７が設けられている。バッテリ収納部２７は、脈波センサ１３、ＬＥＤ１４、およびリミットスイッチ２５などの電子部品の電源となる不図示のＤＣバッテリ（例えば、９Ｖバッテリ）を収納するものである。
【００３３】
第一ケース５には、バッテリ収納部２７の長手方向一端に対応する箇所に開口部２８が形成されており、この開口部２８から不図示のバッテリを第一ケース５内に挿入するようになっている。開口部２８には、これを閉蓋する蓋３８が不図示のボルトによって締結固定される。蓋３８は、これを取り付けたとき、第一ケース５の表面と面一になるように形成されている。蓋３８の一側には、切り欠き部３９が形成されており、この切り欠き部３９を蓋３８を取り外す際の取手として利用することができるようになっている。
【００３４】
また、第一ケース５のバッテリ収納部２７には、長手方向他端に対応する箇所に給電部２９が設けられている。この給電部２９は、バッテリ収納部２７の指挿入部３とは反対側に設けられた本体基板３０に接続されている。すなわち、不図示のバッテリからの電力は、本体基板３０を介して各電子部品に供給される。
【００３５】
本体基板３０には、センサ基板１５に実装されている脈波センサ１３、およびＬＥＤ１４やリミットスイッチ２５などの電子部品を統括的に制御する不図示のＣＰＵ（Ｃｅｎｔｒａｌ  Ｐｒｏｃｅｓｓｉｎｇ  Ｕｎｉｔ；中央演算処理装置）やメモリなどが実装された制御部４０が設けられている。
また、本体基板３０のバッテリ収納部２７とは反対側には、ブザー基板３１が設けられている。このブザー基板３１は、被検者Ｍに測定結果等を知らせるブザーを発生させるためのものであって、圧電ブザー（不図示）を有している。
【００３６】
さらに、第一ケース５内には、加速度センサ３４が設けられている。加速度センサ３４は、Ｘ，Ｙ，Ｚ方向の３軸方向の加速度を検出する、いわゆる３軸加速度センサであって、本体基板３０に電気的に接続されている。加速度センサ３４による検出信号は、本体基板３０のＣＰＵ（不図示）等によって処理される。
【００３７】
図２に示すように、第二ケース６には、この大部分に、平面視略長方形で板状の操作部３２が設けられている。操作部３２は、指挿入部３が挿入されている第一ケース５の開口部７に対して、筐体２の中心を挟んでほぼ反対側に位置している。
操作部３２には、中央の大部分に表示部３３が設けられている。表示部３３は、脈波センサ１３や加速度センサ３４の検出結果を表示するためのものであって、ＬＣＤ（Ｌｉｑｕｉｄ  Ｃｒｙｓｔａｌ  Ｄｉｓｐｌａｙ）等により構成されている。表示部３３の裏側には、表示を行うための基板（不図示）が設けられている。
【００３８】
また、表示部３３の上部（図２における上部）には、健康支援装置１の電源スイッチ３５が設けられている。さらに、表示部３３の下部（図２における下部）には、ブザーの発生、停止を操作するための消音スイッチ３６と、機能スイッチ３７とが設けられている。
機能スイッチ３７は、脈波センサ１３や加速度センサ３４の動作を切替えたり、これらセンサ１３，３４の検出結果の表示部３３への表示を切替えたりすることにより、健康支援装置１の動作モードを操作するためのものである。ここで、健康支援装置１は、機能スイッチ３７を押下する毎に、ウォーキング（歩数計）モード、脈拍計モード、体操モード、リラクシングモードの４種類のモードに順次切替わるようになっている。各モードに応じた検出結果は、表示部３３に表示される（詳細は後述する）。
【００３９】
図１に示すように、筐体２の表面を被覆する巾着袋４は、袋部４１と、袋部４１の開封口４１ａに取り付けられた紐４２と、紐４２に取り付けられたロック部材４３とを有している。そして、巾着袋４は、開封口４１ａを筐体２の蓋部１８側に向けた状態で装着するようになっている。紐４２、およびロック部材４３は、開封口４１ａを開閉するためのものであって、ロック部材４３を操作することにより、開封口４１ａが開閉される。
【００４０】
ここで、ロック部材４３を操作して開封口４１ａが閉じられると、開封口４１ａは蓋部１８の周壁２１（図２参照）を締め付ける状態になる。すなわち、蓋部１８の外フランジ部２２が開封口４１ａの抜け方向側を覆った状態になる。このため、外フランジ部２２は、巾着袋４の抜けを防止するための抜け防止部として機能することになる。また、外フランジ部２２が開封口４１ａを覆うので、外観の美観性も向上する。
さらに、紐４２は、開封口４１ａを閉じた状態で被検者Ｍの手首に巻きつけ可能な長さに設定されている。つまり、紐４２は、開封口４１ａを開閉するためのものであると共に、被検者Ｍの手首に巻き付けることにより、健康支援装置１の脱落を防止する役割を有している。
【００４１】
また、袋部４１には、操作部３２に対応する箇所に開口窓４４が形成されている。このため、筐体２に巾着袋４を取り付けた状態において、操作部３２は、袋部４１の開口窓４４を介して露出する。ここで、操作部３２と筐体２との間には、袋部４１が挿入可能な間隙（不図示）が形成されている。このため、袋部４１の開口窓４４の周縁は、操作部３２の内側に入り込んだ状態となり、外周部４５（図２における斜線部参照）に覆われる。すなわち、操作部３２の外周部４５は、袋部４１の開口窓４４の周縁を覆うカバーの役割を有しており、これによって外観の美観性を向上させることが可能になる。
【００４２】
（作用）
次に、筐体２への指挿入部３の組み立て手順について説明する。
まず、筐体２を第一ケース５と第二ケース６とに分割し、第一ケース５の開口部７に指挿入部３を挿入する。このとき、指挿入部３の先端部を開口部７側に向けた状態で挿入する。そして、第一ケース５の開口部７の周縁に形成されている凹部５ａに指挿入部３のシャフト１７を載置する。
【００４３】
続いて、開口部７に蓋部１８をセットする。このとき、蓋部１８に形成されている凹部１９ａを第一ケース５の凹部５ａに重ね合わせるようにする。そして、不図示のボルト等を用いて第一ケース５に蓋部１８を固定する。
すると、第一ケース５の開口部７の周縁に形成されている凹部５ａと、蓋部１８の蓋本体１９に形成されている凹部１９ａとにより、指挿入部３のシャフト１７が回動自在に支持される。これにより、指挿入部３の組み付けが完了する。
【００４４】
なお、上述のように、指挿入部３を組み付けるにあたって、筐体２を第一ケース５と第二ケース６とに分割しなくてもよい。すなわち、第一ケース５と第二ケース６とを互いに組み付けた状態で開口部７から指挿入部３を挿入してもよい。
次に、蓋部１８を取り付けた後、筐体２に巾着袋４を装着する。このとき、巾着袋４の開封口４１ａを操作部３２側から被せ、開口部７側で巾着袋４のロック部材４３を操作する。これにより、巾着袋４の装着が完了する。
【００４５】
（ウォーキングモード）
次に、図３、図４、図７〜図１２に基づいて、健康支援装置１の動作について説明する。
図７〜図１２は、表示部３３の表示状態を示す説明図である。
まず、ウォーキング（歩数計）モードについて説明する。被検者Ｍが一方の手で健康支援装置１を把持しつつ特定の指先を指挿入部３に挿入した状態で健康支援装置１を手前に向けると、自然体で被検者Ｍ側に操作部３２が向いた状態になる。
図７に示すように、この状態において、被検者Ｍが他方の手で操作部３２の電源スイッチ３５をオン操作すると、表示部３３に起動画面が表示され、表示部３３が明るくなる。表示部３３が明るくなることによって、被検者Ｍは電源スイッチ３５がオンされたことを表示部３３により視認できる。
【００４６】
そして、図８（ａ）〜図８（ｃ）に示すように、表示部３３に起動画面表示後に所定時間（例えば、１秒）経過すると、ウォーキングモードに自動で移行する。ここで、表示部３３は、上下方向中心から電源スイッチ３５側（紙面上側）が各モード時の文字を表示するモード表示部３３ａとして構成され、機能スイッチ３７側（紙面下側）がカウント数やメッセージを表示するカウント表示部３３ｂとして構成されている。
図８（ａ）に示すように、ウォーキングモード移行直後は、カウント数が「０」で表示される。そして、モード切替復帰すると、その段階のカウント値か、メモリ値が表示される（図８（ｂ）参照）。メモリ値は、本体基板３０の制御部４０に記憶されている。
【００４７】
続いて、被検者Ｍが健康支援装置１を把持した状態で歩行し始めると、加速度センサ３４が振動し、検出される電圧波形が変動する。そして、加速度センサ３４がこの検出信号を本体基板３０に出力する。この出力信号に基づいて、本体基板３０の制御部４０が歩数のカウント値を算出する。カウント値は、表示部３３のカウント表示部３３ｂに表示される。
なお、ウォーキングモードの場合、被検者Ｍは、健康支援装置１を把持したままである必要はなく、例えば、腰に携帯した状態で歩行してもよい。
【００４８】
また、健康支援装置１は、ウォーキングモードにおいて、１０００歩カウントするごとにブザーを発生し、被検者Ｍに知らせることができるようになっている。このブザーは、操作部３２の消音スイッチ３６を押下することにより、消音させることができる。
図８（ｃ）に示すように、カウント数が「９９９９９」歩に到達すると、再び「１」から表示される。本体基板３０の制御部４０によるカウントは、加速度センサ３４が検出している間続けられ、カウント数が制御部４０に記憶される。
さらに、操作部３２の機能スイッチ３７を所定時間（例えば、２秒）押下すると、カウント表示は再び「０」にリセットされる。一方、機能スイッチ３７を所定時間よりも短い時間だけ押下すると、脈拍計モードに移行する。
【００４９】
（脈拍計モード）
図９（ａ）に示すように、脈拍計モードに移行すると、表示部３３のモード表示部３３ａに脈拍計モード時の文字が表示される。この状態で、指挿入部３に挿入した指先を適度な力を加えて押し付けると、指挿入部３がシャフト１７を中心にして回動する。
ここで、シャフト１７は、挿入口８ａの外周側、つまり、指挿入部３の手前側に突設されているので、指挿入部３の長手方向中央や、長手方向中央よりも先端側にシャフト１７が突設されている場合と比較して指挿入部３を回動させ易い。
【００５０】
指挿入部３を回動させると、指挿入部３の底部８ｃに設けられている凸部２４がリミットスイッチ２５のスイッチ釦２５ａを押下する。この状態で所定時間（例えば、２秒）経過すると、固定のＤＵＴＹで脈波センサ１３、およびＬＥＤ１４が起動し、脈拍の測定が開始される。
【００５１】
このとき、被検者Ｍの指先は、リミットスイッチ２５の不図示のスプリングの弾性力に抗してスイッチ釦２５ａを押下した状態になっている。このため、指先に所望の荷重をかけた状態で脈拍の測定が行われる。
また、指挿入部３の本体部８が特定の指先を挿入可能な有底筒状に形成されているので、外乱光の侵入が抑制される。さらに、ＧＮＤピン１６によって指先が帯電していてもＧＮＤレベルに落とされ、ノイズの重畳が防止される。これにより、高精度な脈拍の測定を行うことができる。
【００５２】
具体的な脈拍の測定方法は、以下の通りである。
すなわち、指内の血管に届いたＬＥＤ１４からの赤色光は血液中のヘモグロビンによって一部が吸収され、一部が反射する。したがって、脈拍は指からの反射光の光量変化として現れる。脈波センサ１３は、光量を周波数可変型のパルス信号に変換するので、ノイズに強い。この信号は、本体基板３０の制御部４０に出力され、制御部４０によって、脈拍データ解析を行い、脈拍数が算出される。
【００５３】
図９（ｂ）に示すように、脈拍の測定を行っている最中の表示部３３には、カウント表示部３３ｂにドット表示が行われる。このドット表示は、例えば、紙面右側から左側に向かって順に３ドット点灯し、その後全て消えるようになっている。この動作を脈拍の測定が終了するまで行われる。
図９（ｃ）に示すように、脈拍の測定が終了すると、ブザーが発生して被検者Ｍに知らせると共に、表示部３３のカウント表示部３３ｂに脈拍数が表示される。
【００５４】
一方、図９（ｄ）に示すように、脈拍の測定が不能の場合にあっては、ブザーが発生して被検者Ｍに知らせると共に、表示部３３のカウント表示部３３ｂにエラーが表示される。
脈拍の測定が不能な状況としては、例えば、脈拍の測定途中で被検者Ｍが指先の力を弱めたりすることが挙げられる。指先の力を弱めると、リミットスイッチ２５内のスプリング（不図示）の復元力によってスイッチ釦２５ａが突出し、指挿入部３の先端部が押し上げられる。このような場合、脈波センサ１３、およびＬＥＤ１４が停止し、脈拍の測定ができない。
【００５５】
表示部３３のカウント表示部３３ｂにエラーが表示された場合、操作部３２の機能スイッチ３７を所定時間（例えば、２秒）押下する。すると、表示部３３が脈拍計モードの初期画面（図９（ａ）参照）に戻り、カウントされた脈拍数もリセットされる。
ここで、脈拍の測定が正常に行われた場合であっても機能スイッチ３７を所定時間押下することにより、表示部３３には脈拍計モードの初期画面が表示され、カウントされた脈拍数もリセットされる。また、脈拍の測定中に機能スイッチ３７を押下してもこの操作は無効となり、引き続き脈拍の測定を行う。一方、機能スイッチ３７を所定時間よりも短い時間だけ押下すると、体操モードに移行する。
【００５６】
（体操モード）
図１０に示すように、体操モードに移行すると、表示部３３のモード表示部３３ａに体操モード時の文字が表示される。体操モードでは、例えば、腕振り動作などを行う際、正常に腕が振れているか否かを測定する。
より具体的には、被検者Ｍが健康支援装置１を把持した状態で腕を振ると、加速度センサ３４が振動し、検出される電圧波形が変動する。そして、加速度センサ３４がこの検出信号を本体基板３０に出力する。本体基板３０の制御部４０には、体操モード用の所定の閾値が記憶されており、この閾値と入力された加速度センサ３４からの信号とを比較する。
【００５７】
制御部４０は、加速度センサ３４からの出力信号が所定の閾値を超えていればブザー基板３１に信号を出力し、ブザー基板３１によりブザーが発生される。一方、加速度センサ３４からの出力信号が所定の閾値以下である場合には、制御部４０からブザー基板３１に信号が出力されず、ブザーが発生されない。このように構成することで、被検者Ｍは、十分に腕を振って体操を行っているか否かを客観的に判断することが可能になる。
ここで、体操モードの状態で機能スイッチ３７を押下すると、リラクシングモードに移行する。
【００５８】
（リラクシングモード）
図１１（ａ）に示すように、リラクシングモードに移行すると、表示部３３のモード表示部３３ａにリラクシングモード時の文字が表示される。この状態で、指挿入部３に挿入した指先を適度な力を加えて押し付けると、指挿入部３がシャフト１７を中心にして回動する。すると、指挿入部３の底部８ｃに設けられている凸部２４がリミットスイッチ２５のスイッチ釦２５ａを押下する。この状態で所定時間（例えば、２秒）経過すると、固定のＤＵＴＹで脈波センサ１３、およびＬＥＤ１４が起動し、脈波の測定が開始される。
【００５９】
具体的な脈波の測定方法は、以下の通りである。
すなわち、指内の血管に届いたＬＥＤ１４からの赤色光は血液中のヘモグロビンによって一部が吸収され、一部が反射する。したがって、脈拍は指からの反射光の光量変化として現れる。脈波センサ１３は、光量を周波数可変型のパルス信号に変換するので、ノイズに強い。この信号は、本体基板３０の制御部４０に出力され、制御部４０によって、脈波の解析が行われる。この解析結果に基づいて、リラックス度の判断を行う。
【００６０】
図１１（ｂ）に示すように、脈波の測定を行っている最中の表示部３３には、カウント表示部３３ｂにドット表示が行われる。このドット表示は、例えば、紙面右側から左側に向かって順に５ドット点灯し、その後全て消えるようになっている。この動作を脈波の測定が終了するまで行われる。
図１１（ｃ）、図１１（ｄ）に示すように、脈波の測定が終了すると、ブザーが発生して被検者Ｍに知らせると共に、表示部３３のカウント表示部３３ｂにリラックスのレベル結果が５段階で表示される。表示パターンとしては、例えば、１分間で測定した場合（図１１（ｃ）参照）と、３分間で測定した場合（図１１（ｄ）参照）とがある。
【００６１】
一方、図１１（ｅ）に示すように、脈波の測定が不能の場合にあっては、ブザーが発生して被検者Ｍに知らせると共に、表示部３３のカウント表示部３３ｂにエラーが表示される。
脈波の測定が不能な状況としては、例えば、脈波の測定途中で被検者Ｍが指先の力を弱めたりすることが挙げられる。指先の力を弱めると、リミットスイッチ２５内のスプリング（不図示）の復元力によってスイッチ釦２５ａが突出し、指挿入部３の先端部が押し上げられる。このような場合、脈波センサ１３、およびＬＥＤ１４が停止し、脈波の測定ができない。
【００６２】
表示部３３のカウント表示部３３ｂにエラーが表示された場合、操作部３２の機能スイッチ３７を所定時間（例えば、２秒）押下する。すると、表示部３３が脈拍計モードの初期画面（図１１（ａ）参照）に戻り、脈波データもリセットされる。
ここで、脈波の測定が正常に行われた場合であっても機能スイッチ３７を所定時間押下することにより、表示部３３には脈拍計モードの初期画面が表示され、脈波データもリセットされる。また、脈波の測定中に機能スイッチ３７を押下してもこの操作は無効となり、引き続き脈拍の測定を行う。さらに、機能スイッチ３７を所定時間よりも短い時間だけ押下すると、ウォーキングモードに移行する。
【００６３】
表示部３３には、上述の各モードの表示の他に、例えば、図１２（ａ）〜図１２（ｄ）に示すような文字が表示される。
すなわち、操作部３２の消音スイッチ３６を所定時間（例えば、２秒）押下すると、健康支援装置１がロック状態となり、電源スイッチ３５以外の操作が無効になる（図１２（ａ）参照）。この状態から、さらに消音スイッチ３６を所定時間押下すると、健康支援装置１のロック状態が解除される（図１２（ｂ）参照）。
さらに、消音スイッチ３６を所定時間よりも短い時間だけ押下すると消音状態になり（図１２（ｃ）参照）、再度消音スイッチ３６を押下するとブザーが発生する状態になる（図１２（ｄ）参照）。
【００６４】
（効果）
したがって、上述の実施形態によれば、脈波センサ１３の検出精度を高めるべく、従来の圧力センサに代わって接触式センサであるリミットスイッチ２５を用いることにより、部品コストが削減できると共に、制御を簡素化できる。このため、製造コストを低減できる。
また、指挿入部３に挿入した指先を適度な力を加えて押し付け、リミットスイッチ２５のスイッチ釦２５ａを押下すると、固定のＤＵＴＹで脈波センサ１３、およびＬＥＤ１４が起動し、脈拍、および脈波の測定が開始されるように構成されている。このため、脈波センサ１３、およびＬＥＤ１４に常時電力を供給する必要がなく、不図示のバッテリの寿命を延命させることができ、ランニングコストを低減できる。
【００６５】
さらに、被検者Ｍの指先は、リミットスイッチ２５の不図示のスプリングの弾性力に抗してスイッチ釦２５ａを押下した状態になっているので、指先に所望の荷重をかけた状態で脈拍、および脈波の測定が行われる。このため、健康支援装置１による測定結果の信頼性を高めることができる。
【００６６】
そして、指挿入部３に一体成形されているシャフト１７が指挿入方向（図３における矢印Ｙ１参照）に対して直交する方向に沿って突設されていると共に、指先の腹部の押し付け方向（図４における矢印Ｙ２参照）に対して直交する方向に沿って突設されている。これに加え、シャフト１７を回動自在に支持する軸受け部２０が第一ケース５の開口部７の周縁に形成された凹部５ａと、蓋部１８に形成された凹部１９ａとにより構成されている。
このため、第一ケース５の開口部７の周縁に形成されている凹部５ａに指挿入部３のシャフト１７を載置した後、開口部７に蓋部１８をセットするだけで指挿入部３の組み付けが完了する。よって、軸受け部２０が分割されていない一体化されているものと比較して、軸受け部２０にシャフト１７を挿入する煩わしさがなく、組み立て工数が削減できる。
【００６７】
また、指挿入部３の挿入口８ａの外周側、つまり、指挿入部３の手前側にシャフト１７を突設させているので、指挿入部３の長手方向中央や、長手方向中央よりも先端側にシャフト１７が突設されている場合と比較して指挿入部３を回動させ易い。このため、被検者Ｍの指に無理な荷重がかからず、自然体で指先を押さえ付けることが可能になる。よって、使い勝手のよい健康支援装置１を提供することができる。
【００６８】
さらに、蓋部１８に外フランジ部２２を一体成形し、この外フランジ部２２を巾着袋４の抜けを防止するための抜け防止部として機能させている。このため、巾着袋４の開封口４１ａを操作部３２側から被せ、開口部７側で巾着袋４のロック部材４３を操作するだけで巾着袋４の装着が完了すると共に、巾着袋４の抜けを確実に防止できる。
また、抜け防止部として機能する外フランジ部２２が巾着袋４の開封口４１ａを覆うことにより、健康支援装置１の美観性を向上させることができる。さらに、例えば、色彩の異なる複数の巾着袋４を容易に着せ替えすることできるので、被検者Ｍの好みに応じた健康支援装置１を提供できる。
【００６９】
そして、筐体２内に、この筐体２の加速度を検出する加速度センサ３４が設けられているので、健康支援装置１をウォーキング（歩数計）モード、脈拍計モード、体操モード、リラクシングモードの４種類のモードで使用することができる。このため、健康支援装置１の多機能化を図ることが可能になり、繰り返し使用した場合であっても被検者Ｍの興味を維持することができる。
【００７０】
また、指挿入部３が挿入されている第一ケース５の開口部７と操作部３２とが筐体２の中心に対して互いにほぼ反対側に位置した状態になっているので、被検者Ｍが一方の手で健康支援装置１を把持しつつ健康支援装置１を手前に向けると、自然体で被検者Ｍ側に操作部３２が向いた状態になる。よって、被検者Ｍが他方の手で容易に操作部３２を操作することができ、さらに使い勝手のよい健康支援装置を提供することができる。
【００７１】
そして、操作部３２に、脈波センサ１３や加速度センサ３４の検出結果を表示するための表示部３３を設けているので、被検者Ｍが測定中であっても、この被検者Ｍ自身が容易に測定結果を確認することができる。このように随時測定結果を確認できることにより、被検者Ｍの健康意識を高めることができ、かつより使い勝手のよい健康支援装置１を提供することができる。
【００７２】
なお、本発明は上述の実施形態に限られるものではなく、本発明の趣旨を逸脱しない範囲において、上述の実施形態に種々の変更を加えたものを含む。
例えば、上述の実施形態では、指挿入部３にシャフト１７を一体成形した場合について説明したが、これに限られるものではなく、シャフト１７は、指挿入部３の本体部８を左右方向に貫通する一本のシャフトであってもよい。
【００７３】
また、上述の実施形態では、筐体２内に接触式センサとしてリミットスイッチ２５を設けた場合について説明した。しかしながら、リミットスイッチ２５は、接触式センサであればよい。例えば、スイッチ釦２５ａに代わってスイッチレバーを有し、このスイッチレバーの押し下げ・押し上げによってオン・オフ信号を出力するリミットスイッチであってもよい。
【００７４】
さらに、上述の実施形態では、指挿入部３に脈波センサ１３を設けると共に、筐体２内に加速度センサ３４を設け、健康支援装置１を４種類のモードで使用することができる場合について説明した。しかしながら、これに限られるものではなく、少なくとも指挿入部３に脈波センサ１３が設けられていればよい。この場合、健康支援装置１は、脈拍計モード、およびリラクシングモードの２種類のモードで使用することができる。
そして、上述の実施形態では、筐体２の表面を被覆するカバーとして巾着袋４を用いた場合について説明した。しかしながら、これに限られるものではなく、巾着袋４に代わって、第一ケース５の開口部７側に開封口が設定された柔軟性を有するカバーを用いてもよい。
【００７５】
また、上述の実施形態では、ＬＥＤ１４は、基本波長が６５０ｎｍ付近の赤色発光するものが使用されている場合について説明した。しかしながら、これに限られるものではなく、赤色以外の可視光や赤外光を用いて脈拍、および脈波の測定を行ってもよい。
さらに、上述の実施形態では、発光素子としてＬＥＤ１４を用いた場合について説明したが、ＬＥＤ１４に代わって、例えば、フォトトランジスタ等を用いてもよい。
【００７６】
そして、上述の実施形態では、受光素子として脈波センサ１３を用い、この脈波センサ１３が方形波パルス信号を発生させるものである場合について説明した。しかしながら、これに限られるものではなく、脈波センサ１３に代わって、アナログ信号を出力する受光素子を用いてもよい。
【符号の説明】
【００７７】
１  健康支援装置
２  筐体
３  指挿入部
４  巾着袋（カバー）
５  第一ケース
５ａ，１９ａ  凹部（軸受け部）
７  開口部
８  本体部
８ａ  挿入口
８ｃ  底部
１３  脈波センサ（受光素子）
１４  ＬＥＤ（発光素子）
１７  シャフト（回動軸）
１８  蓋部
１９  蓋本体
２０  軸受け部
２２  外フランジ部
２５  リミットスイッチ（接触式センサ）
３２  操作部
３３  表示部
３４  加速度センサ
Ｍ  被検者
【図１】
2011067238.tif 000003
【図２】
2011067238.tif 000004
【図３】
2011067238.tif 000005
【図４】
2011067238.tif 000006
【図５】
2011067238.tif 000007
【図６】
2011067238.tif 000008
【図７】
2011067238.tif 000009
【図８】
2011067238.tif 000010
【図９】
2011067238.tif 000011
【図１０】
2011067238.tif 000012
【図１１】
2011067238.tif 000013
【図１２】
2011067238.tif 000014